(57)【要約】【目的】簡単に取付け、取外しができるガラス窓等の断熱、結露防止構造を提供する。【構成】ガラス窓等の窓枠等の内側の四周に沿って、スペーサーとして必要な厚みを有する合成樹脂製の貼着性スペーサーテープを貼着し、該貼着性スペーサーテープ上に窓ガラス等の全面に合成樹脂フィルムよりなる断熱用フィルムを窓ガラス等から間隙を隔てて貼着してなるガラス窓等の断熱、結露防止構造。【選択図】　　　　図３
2004076545.tif 000002
【特許請求の範囲】
【請求項１】
ガラス窓等の窓枠等の内側の四周に沿って、スペーサーとして必要な厚みを有する合成樹脂製の貼着性スペーサーテープを貼着し、該貼着性スペーサーテープ上に窓ガラス等の全面に合成樹脂フィルムよりなる断熱用フィルムを窓ガラス等から間隙を隔てて貼着してなるガラス窓等の断熱、結露防止構造。
【請求項２】
該貼着性スペーサーテープが厚み０．８〜１．２ｍｍの合成樹脂フイルムよりなる請求項１記載のガラス窓等の断熱、結露防止構造。
【請求項３】
該貼着性スペーサーテープが公知の自己貼着性を有する合成樹脂フィルムよりなる請求項１又は２記載のガラス窓等の断熱、結露防止構造。
【請求項４】
該貼着性スペーサーテープの少なくともガラス等の表面に貼着する側の片面に再剥離性の粘着剤を塗布した貼着性テープである請求項１、２又は３記載のガラス窓等の断熱、結露防止構造。
【請求項５】
該貼着性スペーサーテープのガラス等の表面に貼着する片面に粘着力の大なる粘着剤を塗布し、反対面に再剥離性に優れ、粘着力がより小なる粘着剤を塗布した貼着性テープである請求項４記載のガラス窓等の断熱、結露防止構造。
【請求項６】
該ガラス窓のガラス等の中心部にガラス等と断熱フィルムの間に、該貼着性テープの厚みと同等若しくはそれよりも厚いスペーサー板を１又は複数個貼着した請求項１、２、３、４又は５記載のガラス窓等の断熱、結露防止構造。
【請求項７】
該断熱フィルムが紫外線カット性又は赤外線カット性を有する合成樹脂フィルムよりなる請求項１、２、３、４、５、又は６記載のガラス窓等の断熱、結露防止構造。
【発明の詳細な説明】
【０００１】
【産業上の利用分野】
本発明は既存のガラス窓等を断熱して、結露を防止する構造に関する。
【０００２】
【従来の技術】
従来の結露防止窓構造としては、例えば特開平１１−３０３５３０号に開示されるように、片側に溝を有し、裏面が平坦な長尺基盤を両面テープで窓枠に沿ってガラス面上に貼付け、該溝に合成樹脂フィルムの端縁を嵌入して固定する結露防止構造が提案されている。
【０００３】
また特開平１０−１４０９３７号は、ガラス窓の窓枠に沿って、窓ガラスにスチールペーバーを接着剤で貼付け、一方窓ガラスより若干大きさの小さい硬質の合成樹脂板の周囲に沿って、マグネット粉を含有する合成樹脂よりなるスペーサを嵌着し、該スペーサに含有のマグネットと窓ガラスに貼着したスチールペーパーの磁気吸引力により、合成樹脂板を窓ガラスに着脱自在に取付けた断熱ガラス窓を開示する。
【０００４】
【発明が解決しようとする課題】
上記特開平１１−３０３５３０号の結露防止窓構造は、長尺基盤の形状が複雑で、その溝に合成樹脂フィルムの端縁を嵌挿して固定する作業は容易ではなく、家庭で簡単に施工することが困難である。又夏期に合成樹脂フィルムを取外して、冬期に再度取付ける作業が厄介であった。
【０００５】
また特開平１０−１４０９３７号の断熱ガラス窓は硬質合成樹脂板の周囲に、予め寸法の適合したマグネット含有合成樹脂製のスペーサを作成して、取付けておく必要があり、その工作が煩雑で容易ではない。
【０００６】
従って本発明は、特別な技能を有しない人でも簡単に取付け、取外しができるガラス窓等の断熱、結露防止構造を提供することを目的とする。
【０００７】
【課題を解決するための手段】
上記目的を達成すべく、本発明者が鋭意研究を重ねた結果、ガラス窓等の窓枠に沿って、スペーサーとして必要な厚みを有する貼着性スペーサーテープを貼着し、該貼着性スペーサーテープ上に窓ガラス等の全面に断熱用フィルムをガラス面から間隙を隔てて貼着することにより、断熱用フィルムを容易に貼着、剥離することができるガラス窓等の断熱、結露防止構造を構成することができることを見出し本発明を完成するに到った。
【０００８】
即ち、本発明はガラス窓等の窓枠等の内側の四周に沿って、スペーサーとして必要な厚みを有する合成樹脂製の貼着性スペーサーテープを貼着し、該貼着性スペーサーテープ上に窓ガラス等の全面に合成樹脂フィルムよりなる断熱用フィルムを窓ガラス等から間隙を隔てて貼着してなるガラス窓等の断熱、結露防止構造を要旨とする。
【０００９】
次に本発明の内容を図面により詳細に説明する。図１は本発明のガラス窓等の断熱、結露防止構造の正面図、図２は同ＡＡ断面図、図３は同一部拡大断面図である。１は断熱、結露防止構造を施すガラス窓、２は窓枠、３は窓ガラス、４は合成樹脂製の貼着性スペーサーテープ、５は断熱用フィルム、６はスペーサー板である。ガラス窓１の窓枠２の内側に沿った四周の窓ガラス３に貼着性スペーサーテープ４を貼着し、その上に窓ガラス３から一定の間隙を隔てて、断熱用フィルム５を窓ガラス３全面に貼付ける。窓ガラス３の中央付近に１個又は複数個のスペーサー板６を嵌挿、貼着する。
【００１０】
貼着性スペーサーテープ４は厚み約０．８〜１．ｍｍ、幅１０〜２０ｍｍの合成樹脂よりなる。その合成樹脂の種類は特に制限はないが、適当な柔軟性を有する無色透明な熱可塑性樹脂が適しており、例えばポリエチレンテレフタレート樹脂等が好ましく用いられる。ポリ塩化ビニル等の塩素系の合成樹脂は廃棄時の環境問題から好ましくない。
【００１１】
貼着性スペーサーテープ４は、粘着剤を用いることなしに、公知の自己貼着性を有するテープが好ましく用いられるが、貼着性スペーサーテープ４のガラス面に貼着する側の表面に、再剥離性を有する粘着剤を塗布することができる。又断熱用フィルム５を貼着する面にも、ガラス面に貼着するテープ面よりは粘着性の弱い再剥離性に優れた粘着剤を塗布することもできる。貼着性スペーサーテープ４の両面の貼着力に差を設けることにより、貼着した断熱用フィルム５を剥離する際に、貼着性スペーサーテープ４を残して、断熱用フィルム５のみを剥離することができ、断熱用フィルム５を貼付ける際の、貼付け位置の修正や皺のばし等のための貼直しを容易に行うことができる。
【００１２】
窓ガラス３の中央付近に、窓ガラス３と断熱用フィルム５の間隙を保持するために、適当な厚みのスペーサー板６を嵌挿、貼着するのが望ましい。スペーサー板６の厚みは貼着性スペーサーテープ４の厚みよりも厚くするのが望ましく、例えば、２〜６ｍｍの厚みのものが用いられる。スペーサー板６の材質は特に制限はないが、透明熱可塑性合成樹脂が好ましく用いられ、例えばポリエチレンテレフタレート樹脂等が好ましく用いられる。スペーサー板６の少なくとも窓ガラス３に貼着する側には再剥離性の粘着剤を塗布するのが好ましい。
【００１３】
スペーサー板６を用いることにより、面積の広い柔軟な断熱用フィルム５を用いる場合に、その中央部付近で窓ガラス３面と断熱用フィルム５が密着するのを防止することができる。又スペーサー板６の厚みよりも貼着性スペーサーテープ４の厚みを薄くすることより、ガラス窓１の窓枠２に沿って貼着した貼着性スペーサーテープ４同志の間隙からの空気の出入りを防止し、窓ガラス３と断熱用フィルム５の間隙に室内の湿度の高い空気が流入して、冬期に窓ガラス３の内面に結露を生ずるのを防止することができる。
【００１４】
使用前の貼着性スペーサーテープ４の両面及びスペーサー板６の粘着面には離型紙を貼着して、貼着面を保護しておく必要がある。
【００１５】
断熱用フィルム５の材質は特に制限はないが、透明合成樹脂フィルムが用いられ、軟質フィルム及び適当な剛性を有する硬質合成樹脂フィルムも用いることができる。例えばポリエチレンテレフタレート樹脂、ポリプロピレン樹脂等が好ましく用いられる。本発明のガラス窓等の断熱、結露防止構造の構成材料をセットとして販売する際に円筒状に巻いて、小型に包装することができる程度の柔軟性を有する断熱用フィルム５が好ましく用いられる。断熱用フィルム５の両面は貼着性を高く保つために、使用前は両面を離型紙で被覆しておくのが好ましい。
【００１６】
断熱用フィルム５の厚みは特に制限はないが、約０．１〜０．５ｍｍ程度の厚みが好ましく用いられる。この厚みが薄いと耐久性に劣り、厚過ぎると柔軟性に乏しくなり好ましくない。
【００１７】
断熱用フィルム５には、紫外線透過防止剤を被覆又は樹脂に添加して、紫外線カット性を付与することができる。又赤外線を反射或いは吸収して赤外線カット性を有する合成樹脂フィルムを用いることができ、夏期の外部からの輻射熱の侵入を防止し、冬期には室内からの輻射による熱損失を少なくして断熱効果を高めることができる。又必要に応じて、ハーフミラー性能を有する合成樹脂フィルムを断熱用フィルム５として用いることも可能である。
【００１８】
本発明のガラス窓等の断熱、結露防止構造は既存のアルミサッシュガラス窓やアルミサッシュガラス戸に適用するのに最適であるが、ガラス窓やガラス戸だけでなく、アルミニウム製等の金属製扉の断熱、結露防止用としても用いることができる。本発明のガラス窓等の断熱、結露防止構造は、通常ガラス窓等の室内側に施工されるが、室外側に施工することもできる。
【００１９】
本発明のガラス窓等の断熱、結露防止構造の施工は、既存のアルミサッシュ窓等の窓枠２に沿って、サッシュのガラス嵌込用ゴムパッキング７の内側に接するように、窓枠２から約１〜２ｍｍ程度離れた位置に、窓枠２の四辺に沿って４本の貼着性スペーサーテープ４のガラスに貼着する側の離型紙のみを剥離して、互いにできるだけ間隙をあけないように口字状に配列して窓ガラス１に貼着する。窓ガラス３の中央部には、適数個のスペーサー板６を貼付ける。次に両面を離型紙で被覆された断熱用フィルム５を必要な大きさに裁断し、貼着性スペーサーテープ４の上面の離型紙を剥離し、断熱用フィルム５の両面の離型紙も剥離して、貼着性スペーサーテープ４上に断熱用フィルム５を重ねて皺の生じないように貼付ける。貼着性スペーサーテープ４は再剥離性に優れ、特に自己貼着性を有する貼着性スペーサーテープ４を用いると、一旦貼着性スペーサーテープ４上に貼着した断熱用フィルム５を簡単に剥離して、何度でも貼直すことができるので、貼着作業を極めて容易に行うことができる。
【００２０】
【発明の効果】
本発明のガラス窓等の断熱、結露防止構造によれば、極めて簡単な構造で、窓ガラス３等の断熱効果を発揮することができ、その結果、寒冷地でも冬期の結露を充分に防止することができる。即ち寒冷な冬期において、窓ガラス１から薄い空気層を隔てて配置された断熱用フィルム５は、低温の窓ガラス１の内面から隔てられて、その冷気が直接伝わらず、窓ガラス１内面と室内温度の中間の温度に保たれるので、室内の空気から断熱用フィルム５への伝熱量は少なくなり、断熱効果が発揮される。また窓ガラス１と断熱用フィルム５の間隙の空気は略密閉状態にあり、室内空気から遮断されているため、室内の湿度の高い空気が直接低温の窓ガラス１面に触れることがなく、窓ガラス１内面の結露を効果的に防止することができる。また断熱用フィルム５は窓ガラス１面よりも高い室内温度に近い温度に保たれるので、断熱用フィルム５の表面に結露することもない。
【００２１】
本発明のガラス窓等の断熱、結露防止構造は構造が簡単で、貼着性スペーサーテープ４が再剥離性に優れ、特に自己貼着性合成樹脂フィルムを用いると貼着性スペーサーテープ４上に貼着した断熱用フィルム５の剥離が容易であり、施工時の貼り直しも容易であり、特別な技術を持たない人でも、家庭で施工が極めて容易であり、施工用の部材をセットとして販売すれば、家庭で既存のガラス窓等に貼着施工することができる。
【００２２】
本発明のガラス窓等の断熱、結露防止構造の断熱用フィルム５の着脱が自在に行なえるので、冬期のみに断熱、結露防止用として用い、夏期には部材を取り外して保管しておき、冬期に再度貼着することも容易に行なえる。
【００２３】
本発明のガラス窓等の断熱、結露防止構造は冬期の断熱、結露防止用だけでなく、夏期の外部からの熱の侵入を防止して、冷房効果を高めるためにも効果的に使用することができる。この場合には赤外線カット性を有する断熱用フィルム５を用いるのが、更に好ましい。
【図面の簡単な説明】
【図１】本発明のガラス窓等の断熱、結露防止構造の一例の正面図である。
【図２】本発明のガラス窓等の断熱、結露防止構造の一例のＡＡ断面図である。
【図３】本発明のガラス窓等の断熱、結露防止構造の一例の一部拡大断面図である。
【符号の説明】
１　ガラス窓
２　窓枠
３　窓ガラス
４　貼着性スペーサーテープ
５　断熱用フィルム
６　スペーサー板
７　ゴムパッキング
【図１】
2004076545.tif 000003
【図２】
2004076545.tif 000004
【図３】
2004076545.tif 000005